(57)【特許請求の範囲】
【請求項１】
光源と、光を受光する受光部とを有し、読取データを取得する読取動作を行う読取部と、
制御部と、を備えた画像読取装置であって、
前記制御部は、
前記読取部を利用する読取モードを設定する制御入力信号を受け付けたことを契機として、前記読取動作の読取設定に対する設定変更を受け付ける前に、前記光源を消灯させた状態で前記読取動作を行う光源消灯準備動作を、前記読取部に実行させる第一準備処理と、
原稿の読取を開始する制御入力信号を受け付けたことを契機として、前記光源を点灯させて前記原稿の反射光を前記受光部が受光する前記読取動作を前記読取部に実行させ、前記第一準備処理にて取得された読取データを反映した前記原稿の読取データを取得する読取処理と、を実行する、画像読取装置。
【請求項２】
請求項１に記載の画像読取装置において、
前記制御部は、前記読取処理を実行する前に、
前記読取部を利用する読取モードを設定する制御入力信号によって設定された読取モードが、複数の読取モードのうち前記設定変更が行われる可能性が高いモードであるか否かを判定する判定処理と、
前記判定処理の判定結果に基づき、前記設定変更される可能性が高くないモードであると判定された場合、前記光源を点灯させて基準板の反射光を前記受光部が受光する前記読取動作を行う光源点灯準備動作を前記読取部に実行させる第二準備処理と、を実行し、
前記読取処理において、原稿の読取を開始する制御入力信号を受け付けたことを契機として、前記光源を点灯させて前記原稿の反射光を前記受光部が受光する前記読取動作を前記読取部に実行させ、前記第一準備処理及び前記第二準備処理にて取得された読取データを反映した前記原稿の読取データを取得する、画像読取装置。
【請求項３】
請求項２に記載の画像読取装置において、
前記判定処理の判定結果に基づき、前記設定変更される可能性が高いモードであると判定された場合、
前記制御部は、前記設定変更を受け付けるためのメニューを表示部に表示する表示処理を実行する、画像読取装置。
【請求項４】
請求項２に記載の画像読取装置において、
前記第二準備処理の実行後であって、前記原稿の読取を開始する制御入力信号を受け付ける前に、
前記制御部は、前記設定変更を受け付けるためのメニューを表示部に表示する表示処理を実行する、画像読取装置。
【請求項５】
請求項４に記載の画像読取装置において、
前記制御部は、
前記表示処理後に前記原稿の読取を開始する制御入力信号を受け付けたことを契機として、前記設定変更が行われたか否かを判断する判断処理を実行し、
前記判断処理の判断結果に基づき、前記設定変更が行われた場合には、前記第二準備処理を再度実行してから、前記読取処理を実行する、画像読取装置。
【請求項６】
請求項１から請求項５のいずれか一項に記載の画像読取装置において、
前記制御部は、前記第一準備処理において、前記光源消灯準備動作として、アナログフロントエンド調整のための暗レベル取得動作および読取データを補正するための黒データ取得動作を前記読取部に実行させる、画像読取装置。
【請求項７】
請求項１から請求項６のいずれか一項に記載の画像読取装置において、
ユーザによって操作される操作部をさらに備え、
前記制御部は、前記読取部を利用する読取モードを設定する前記制御入力信号、及び前記原稿の読取を開始する制御入力信号を前記操作部から受け付けたことを契機とする、画像読取装置。
【請求項８】
光源と、光を受光する受光部とを有し、読取データを取得する読取動作を行う読取部を備えた画像読取装置における原稿読取方法であって、
前記読取部を利用する読取モードを設定する制御入力信号を受け付けたことを契機として、前記読取動作の読取設定に対する設定変更を受け付ける前に、前記光源を消灯させた状態で前記読取動作を行う光源消灯準備動作を前記読取部に実行させる準備処理工程と、
原稿の読取を開始する制御入力信号を受け付けたのを契機として、前記光源を点灯させて前記原稿の反射光を前記受光部が受光する前記読取動作を前記読取部に実行させ、前記準備処理工程にて取得された読取データを反映した前記原稿の読取データを取得する読取処理工程と、を含む、原稿読取方法。
【発明の詳細な説明】
【技術分野】
【０００１】
本発明は画像読取装置および原稿読取方法に関し、詳しくは、画像読取装置において読取開始時間を短縮可能にする技術に関する。
【背景技術】
【０００２】
従来、画像読取装置において読取開始時間を短縮する技術として、例えば、特許文献１に記載されたものが知られている。その従来技術文献においては、電源オン時には光源を点灯しない光源消灯補正動作を行い、スタートボタン押下時には光源を点灯させる光源点灯補正動作を行う技術が開示されている。
【先行技術文献】
【特許文献】
【０００３】
【特許文献１】特開平１１−０４６２８９号公報
【発明の概要】
【発明が解決しようとする課題】
【０００４】
しかしながら、上記従来技術文献のように、原稿の読取開始要求前に光源消灯補正動作を行うことにより読取開始時間を短縮できるものの、電源オンに伴って光源消灯補正動作を行うだけだと、温度変動等に変動できず、読取画質の精度を保障し難い。一方、毎回原稿読取時に光源消灯補正動作を行うと、読取効率が低下する虞があった。
本発明は、読取画質を維持しつつ読取効率の低下を抑制する技術を提供するものである。
【課題を解決するための手段】
【０００５】
本明細書によって開示される画像読取装置は、光源と、光を受光する受光部とを有し、読取データを取得する読取動作を行う読取部と、制御部と、を備えた画像読取装置であって、前記制御部は、前記読取動作の読取設定に対する設定変更を受け付ける前に、前記受光部を利用する読取モードを設定する制御入力信号を受け付けたことを契機として、前記光源を消灯させた状態で前記読取動作を行う光源消灯準備動作を、前記読取部に実行させる第一準備処理と、原稿の読取を開始する制御入力信号を受け付けたことを契機として、前記光源を点灯させて原稿の反射光を前記受光部が受光する前記読取動作を前記読取部に実行させ、前記第一準備処理にて取得された読取データを反映した前記原稿の読取データを取得する読取処理と、を実行する。
【０００６】
【０００７】
その際、前記制御部は、前記読取処理を実行する前に、前記読取部を利用する読取モードを設定する制御入力信号によって設定された読取モードが、複数の読取モードのうち前記設定変更が行われる可能性が高いモードであるか否かを判定する判定処理と、前記判定処理の判定結果に基づき、前記設定変更される可能性が高くないモードであると判定された場合、前記光源を点灯させて基準板の反射光を前記受光部が受光する前記読取動作を行う光源点灯準備動作を前記読取部に実行させる第二準備処理と、を実行し、前記読取処理において、原稿の読取を開始する制御入力信号を受け付けたことを契機として、前記光源を点灯させて前記原稿の反射光を前記受光部が受光する前記読取動作を前記読取部に実行させ、前記第一準備処理及び前記第二準備処理にて取得された読取データを反映した前記原稿の読取データを取得するようにしてもよい。
【０００８】
また、上記画像読取装置において、前記制御部は、前記第一準備処理において、前記光源消灯準備動作として、アナログフロントエンド調整のための暗レベル取得動作および読取データを補正するための黒データ取得動作を前記読取部に実行させるようにしてもよい。
【０００９】
また、上記画像読取装置において、ユーザによって操作される操作部をさらに備え、前記制御部は、前記読取部を利用する読取モードを設定する前記制御入力信号、及び前記原稿の読取を開始する制御入力信号を前記操作部から受け付けたことを契機としてもよい。
【００１０】
【００１１】
また、本明細書によって開示される原稿読取方法は、光源と、光を受光する受光部とを有し、読取データを取得する読取動作を行う読取部を備えた画像読取装置における原稿読取方法であって、前記読取部を利用する読取モードを設定する制御入力信号を受け付けたことを契機として、前記読取動作の読取設定に対する設定変更を受け付ける前に、前記光源を消灯させた状態で前記読取動作を行う光源消灯準備動作を前記読取部に実行させる準備処理工程と、原稿の読取を開始する制御入力信号を受け付けたのを契機として、前記読取部に前記光源を点灯させて前記原稿の反射光を前記受光部が受光する前記読取動作を前記読取部に実行させ、前記準備処理工程にて取得された読取データを反映した前記原稿の読取データを取得する読取処理工程と、を含む。
【発明の効果】
【００１２】
本発明によれば、ユーザが例えば画像読取装置の操作部を介して読取を開始する制御入力信号を制御部に入力する前に、操作部を介して読取解像度を設定する制御入力信号を制御部に入力すれば、それを契機に光源消灯準備動作が実行される。そのため、画像読取装置の電源オン時に比べ原稿の読取動作直前に光源消灯準備動作を実行することができ、温度変動等の影響を減らすことができ、読取画質を維持できる。また、原稿の読取実行要求を入力する前に光源消灯準備動作を実行できるので、読取効率の低下を抑制できる。
【図面の簡単な説明】
【００１３】
【図１】一実施形態の複合機の外観斜視図
【図２】原稿読取部の要部拡大断面図
【図３】複合機の電気的構成を概略的に示すブロック図
【図４】原稿読取処理の流れを示すフローチャート
【発明を実施するための形態】
【００１４】
＜実施形態＞
次に一実施形態について図１から図４を参照して説明する。
【００１５】
１．複合機の構成
本実施形態では、本発明に係る画像読取装置をスキャナ機能、プリンタ機能、コピー機能、ファクシミリ機能等を備えた複合機１に適用した例を示す。図１は、複合機１の外観斜視図であり、図２は、原稿読取部３の要部拡大断面図である。
【００１６】
複合機１は、図１に示すように、用紙に画像を印刷する画像形成部５（図３参照）を収容した本体部２を備え、その上方に原稿を読み取る原稿読取部（読取部の一例）３を備えている。原稿読取部３の前側には、操作パネル４（操作部の一例）が設けられ、操作パネル４により動作状態等の表示や、ユーザによる操作の入力が可能となっている。
【００１７】
原稿読取部３は、図２に示されるように、フラットベッド部６とその上方を開閉可能に覆う原稿カバー部７とを備えている。フラットベッド部６の上面には、透明な長方形状をなす、第１プラテンガラス８と第２プラテンガラス９とが並んで設けられている。原稿カバー部７は、ＡＤＦ（自動原稿供給装置）１１、原稿トレイ１２、排出トレイ１３を備えている。ＡＤＦ１１は、原稿トレイ１２に載置された原稿を一枚ずつ搬送して、その原稿を第２プラテンガラス９に対向する位置に搬送した後、排出トレイ１３上に排出する。原稿トレイ１２および第１プラテンガラス８は、原稿設置部に相当する。
【００１８】
第１プラテンガラス８の下側には、読取ヘッド１４が設けられている。この読取ヘッド１４は、ＣＩＳ（Contact Image Sensor）やＣＣＤ等のイメージセンサ１５、レンズ等からなる光学素子１６、光源としての蛍光灯１７を備えている。イメージセンサ１５は、主走査方向（紙面に直交方向）に一列に並んで配置された複数のフォトダイオード（受光部の一例）を備えており、蛍光灯１７より原稿に光を当てたときの反射光を光学素子１６を介して個々のフォトダイオードで受光し、画素毎に反射光の光強度を電気信号に変換して出力する。
【００１９】
原稿の読み取りは、原稿を第１プラテンガラス８上に載置して行う場合と、ＡＤＦ１１を利用する場合とがある。前者の場合、読取ヘッド１４が副走査方向（図２の矢線Ａ方向）に移動され、その際に主走査方向（図２の紙面に直交する方向）に１ラインずつ原稿の読み取りが行われる。また、後者の場合には、読取ヘッド１４が第２プラテンガラス９に対向する位置に固定され、原稿がＡＤＦ１１の駆動によって第２プラテンガラス９に対向する位置に搬送されたときに、原稿の読み取りが主走査方向に１ラインずつ行われる。
【００２０】
なお、原稿トレイ１２には、そのトレイ上に読取原稿が載置されているか否かを検出するためのフォトセンサ等を利用した原稿センサ１８が設けられている。原稿センサ１８は、読取原稿が載置されたことを検知し、原稿検知信号Ｓｄ１（検知信号の一例）を生成する。また、原稿カバー部７の下面における一角部には、原稿カバー部７の開閉状態を検出するためのカバー開閉センサ１９が設けられている。カバー開閉センサ１９は、原稿カバー部７の開閉状態を検出し、カバー開閉信号Ｓｄ２を生成する。
【００２１】
２．複合機の電気的構成
次に、複合機１の電気的構成について説明する。図３は、複合機１の電気的構成を概略的に示すブロック図である。
【００２２】
複合機１は、ＣＰＵ３１、ＲＯＭ３２、ＲＡＭ３３、ＮＶＲＡＭ（不揮発性メモリ）３４、ＡＳＩＣ（特定用途用集積回路）３５、ネットワークインターフェイス３６、ファクシミリインターフェイス３７、タイマ３８等を含む制御装置３０を備えている。
【００２３】
ＲＯＭ３２には、複合機１を制御するための各種制御プログラムや各種設定、初期値等が記憶されている。ＲＡＭ３３は、各種制御プログラムが読み出される作業領域として、あるいは画像データを一時的に記憶する記憶領域として用いられる。ＡＳＩＣ３５は、画像形成部５、原稿読取部３、操作パネル４等と接続されている。ＣＰＵ３１は、ＲＯＭ３２から読み出した制御プログラムに従って、その処理結果をＲＡＭ３３又はＮＶＲＡＭ３４に記憶させながら、ＡＳＩＣ３５を介して複合機１の各構成要素を制御する。ＣＰＵ３１は制御部の一例である。なお、制御部はＣＰＵ３１に限られず、制御部は、例えばＡＳＩＣ３５によって構成されてもよい。
【００２４】
ネットワークインターフェイス３６には、パーソナルコンピュータ（以下単に「ＰＣ」と記す）５０等が接続され、このネットワークインターフェイス３６を介して相互のデータ通信が可能となっている。また、ファクシミリインターフェイス３７は、電話回線（図示せず）に接続され、このファクシミリインターフェイス３７を介して外部のファクシミリ装置等とファクシミリデータの通信が可能となっている。タイマ３８は、ＣＰＵ３１の制御に伴う各種の時間計測を行う。
【００２５】
３．原稿読取処理
次に、図４を参照して、本実施形態における原稿読取処理を説明する。図４は、原稿読取処理の流れを示すフローチャートである。原稿読取処理は、所定の制御プログラムにしたがってＣＰＵ３１の制御により実行される。また、原稿読取処理は、複合機１の電源が投入された場合に開始される。
【００２６】
ＣＰＵ３１は、原稿読取処理において、読取スタート信号Ｓｔ以外の制御入力信号を受け付けたことを契機として、蛍光灯１７を消灯させた状態で読取動作を行う光源消灯準備動作を、原稿読取部３に実行させる準備処理と、読取スタート信号Ｓｔを受け付けたことを契機として、原稿読取部３に蛍光灯１７を点灯させて読取動作を実行させ、準備処理にて取得された読取データを反映した原稿の読取データを取得する読取処理とを実行する。
【００２７】
ここで、読取スタート信号Ｓｔは「読取を開始する制御入力信号」に相当する。読取スタート信号Ｓｔは、操作パネル４の操作ボタン４Ｂに含まれる読取スタートキーが押下されることによって生成される。
【００２８】
さて、複合機１の電源が投入されると、原稿読取処理において、ＣＰＵ３１は、まず、原稿読取を行うにあたって、ユーザが操作パネル４の操作ボタン４Ｂを操作して複合機１の複数の動作モードの中から一つの動作モードを選択したかどうかを判定する（ステップＳ１００）。
【００２９】
なお、本実施形態において、上記複数の動作モードには、原稿読取部３によって読み取られた読取データの出力先の違いに応じて、読取データを印字出力する「コピーモード」、読取データをメモリ、例えば内部メモリであるＮＶＲＡＭ３４あるいは外部メモリ等に記憶する「スキャンモード」、および、読取データを外部に送信出力する「Ｆａｘ送信モード」が含まれる。本実施形態において、各動作モードは「読取部を利用する読取モード」に相当する。また、各動作モードの選択を示す動作モード信号Ｓｍは、「読取を開始する制御入力信号以外の制御入力信号」および「読取部を利用する読取モードを設定する制御入力信号」に相当する。
【００３０】
一つの動作モードが選択されたと判定される場合（ステップＳ１００：ＹＥＳ）、ＣＰＵ３１は、光源消灯準備処理（準備処理に相当する）を行う（ステップＳ１０５）。すなわち、ＣＰＵ３１は、読取スタート信号Ｓｔ以外の制御入力信号を受け付けたことを契機として、蛍光灯１７を消灯させた状態で読取動作を行う光源消灯準備動作を原稿読取部３に実行させる、光源消灯準備処理を行う。ここでは、動作モード信号Ｓｍを受け付けたことを契機として光源消灯準備処理が実行される。通常、動作モード信号Ｓｍによって動作モード、すなわち読取モードが設定されると、その後、読取実行が要求される可能性が高い。そのため、確実に原稿の読取動作直前に光源消灯準備動作を実行することができる。
【００３１】
ここで、ＣＰＵ３１は、光源消灯準備動作として、アナログフロントエンド（ＡＦＥ）調整のための暗レベル取得動作、および読取データを補正するための黒データ取得動作を原稿読取部３に実行させる。具体的には、例えば、読取ヘッド１４をホームポジションから白基準板２０（図２参照）に対向する位置まで移動させる。そして、蛍光灯１７から白基準板２０に対して光を照射させずに、読取ヘッド１４から暗レベルを取得し、取得した暗レベルに基づいてＡＦＥ調整を行う。そして、黒データ取得動作では、ＡＦＥ調整で暗レベルが調整された状態で蛍光灯１７を点灯させないで黒データを取得する。
【００３２】
本実施形態のように、暗レベル取得動作および黒データ取得動作の両動作とも動作モード信号Ｓｍを受け付けたのを契機として実行することで、両動作のうち、一方の動作を、動作モード信号Ｓｍを受け付けたのを契機として実行し、他方の動作を、読取スタート信号Ｓｔを受け付けたのを契機として実行するのと比べ、さらに読取画質および読取効率を向上させることができる。
【００３３】
次いで、ＣＰＵ３１は、選択された動作モードは、設定変更される可能性が高いモードであると判定された場合（ステップＳ１１０：ＹＥＳ）、読取設定変更メニューを、例えば、操作パネル４の表示部４Ａに表示して、ユーザの読取設定変更を受け付ける（ステップＳ１２０）。設定変更される可能性が高いモードには、例えば、コピーモードおよびスキャンモードが含まれる。また、設定が変更される事項には、カラー／モノクロの設定、解像度の設定等が含まれる。
【００３４】
ここで、何れのモードが設定変更される可能性が高いモードであるかは、事前に登録データとしてＲＯＭ３２等に記憶される。なお、ユーザの操作パネル４の操作内容に応じて、所定の動作モードを設定変更される可能性が高いモードとして登録し、それ以後、登録情報にしたがって各モードを制御するようにしてもよい。
【００３５】
次いで、ＣＰＵ３１は、ユーザによって操作パネル４に含まれる読取スタートキーが押下されたかどうかを判定する（ステップＳ１２５）。読取スタートキーが押下されたと判定される場合（ステップＳ１２５：ＹＥＳ）、原稿読取部３に蛍光灯１７を点灯させて読取動作を実行させる、光源点灯準備処理を行う（ステップＳ１３０）。
【００３６】
光源点灯準備処理には、光量調整処理および白データ取得処理等が含まれる。光量調整処理では、読取ヘッド１４の蛍光灯１７から白基準板２０に対して光を照射して、明レベルの調整が行われる。また、白データ取得処理では、光量調整処理によって明レベルが調整された状態で蛍光灯１７を点灯して、白データが取得される。また、取得された白データおよび黒データに基づいて、例えば、シェーディングデータが作成される。
【００３７】
このように、光源消灯準備処理および光源点灯準備処理の準備処理の後に、ＣＰＵ３１は、準備処理にて取得された読取データを反映した原稿の読取データを取得する読取処理を実行する（ステップＳ１６５）。
【００３８】
一方、ステップＳ１１０において、選択された動作モードが、設定変更される可能性が高いモードでないと判定された場合（ステップＳ１１０：ＮＯ）、読取スタートキーが押下されたかどうかの判定を行わずに、上記ステップＳ１３０と同様の光源点灯準備処理を実行する（ステップＳ１４０）。設定変更される可能性が高くないモードとして、例えば、Ｆａｘ送信モードが該当する。また、Ｆａｘ送信モードは、「複数の読取モードのうち所定の読取モード」に相当する。
【００３９】
すなわち、ＣＰＵ３１は、準備処理において、Ｆａｘ送信モードを設定する動作モード信号Ｓｍを受け付けたことを契機として、光源消灯準備処理および、光源点灯準備処理を原稿読取部３に実行させる。Ｆａｘ送信モードのように、読取モードが読取条件を変更される可能性の低い読取モードである場合は、読取スタートキーが押下される前に光源点灯準備処理を実行することによって、さらに読取効率を向上させることができる。
【００４０】
次いで、ステップＳ１２０と同様に、ユーザの設定変更を受け付け（ステップＳ１４５）、ステップＳ１２５と同様に、読取スタートキーが押下されたかどうかを判定する（ステップＳ１５０）。
【００４１】
読取スタートキーが押下された場合（ステップＳ１５０：ＹＥＳ）、ステップＳ１４５において設定変更がなされたかどうかを判定する（ステップＳ１５５）。設定変更がなされていないと判定された場合は（ステップＳ１５５：ＮＯ）、読取動作を実行する（ステップＳ１６５）。一方、設定変更がなされたと判定された場合は（ステップＳ１５５：ＹＥＳ）、設定変更に応じて、再度、光源点灯準備処理を実行し（ステップＳ１６０）、その後、読取動作を実行する（ステップＳ１６５）。
【００４２】
４．実施形態の効果
上記したように、本実施形態では、ＣＰＵ３１は、動作モード信号Ｓｍ（読取を開始する制御入力信号以外の制御入力信号）を受け付けたことを契機として、蛍光灯１７を消灯させた状態で読取動作を行う光源消灯準備動作を読取部３に実行させる光源消灯準備処理と、読取スタート信号Ｓｔ（読取を開始する制御入力信号）を受け付けたことを契機として、読取部３に蛍光灯１７を点灯させて読取動作を実行させ、光源消灯準備処理にて取得された読取データを反映した原稿の読取データを取得する読取処理とを実行する。そのため、例えば、ユーザが複合機１の操作パネル４を介して原稿の読取実行要求を入力する前に、すなわち、ユーザが、操作パネル４の読取スタートキーを押下する前に、操作部４を介して動作モード信号ＳｍをＣＰＵ３１に入力すれば、それを契機に光源消灯準備動作が実行される。そのため、複合機１の電源オン時に比べ原稿の読取動作直前に光源消灯準備動作を実行することができ、温度変動等の影響を減らすことができる。それによって、読取画質を維持できる。また、読取スタートキーが押下される前に光源消灯準備動作を実行できるので、読取効率の低下を抑制できる。
【００４３】
また、操作パネル４から動作モード信号を受け付けたことを契機として、光源消灯準備動作が原稿読取部３によって実行される。そのため、複合機１がＰＣ５０と接続されずに単独で使用される場合において、好適に光源消灯準備動作を原稿読取部３に実行させることができる。
【００４４】
＜他の実施形態＞
本発明は上記記述及び図面によって説明した実施形態に限定されるものではなく、例えば次のような実施形態も本発明の技術的範囲に含まれる。
【００４５】
（１）上記実施形態では、動作モード信号Ｓｍを「読取を開始する制御入力信号以外の制御入力信号」として、動作モード信号Ｓｍを受け付けたことを契機として、蛍光灯１７を消灯させた状態で読取動作を行う光源消灯準備処理を行う例を示したが、これに限られない。例えば、ＣＰＵ３１は、原稿センサ１８からの原稿検知信号Ｓｄ１を受け付けたことを契機として、光源消灯準備動作を読取部３に実行させるようにしてもよい。この場合、原稿トレイ１２に読取原稿が載置されると、その後、読取実行が要求される可能性が高いので、確実に原稿の読取動作直前に光源消灯準備動作を実行することができる。
【００４６】
あるいは、ＣＰＵ３１は、カバー開閉センサ１９からのカバー開閉信号Ｓｄ２を受け付けたことを契機として、光源消灯準備動作を読取部３に実行させるようにしてもよい。この場合であっても、カバー開閉センサ１９が開閉されると、その後、読取実行が要求される可能性が高いので、確実に原稿の読取動作直前に光源消灯準備動作を実行することができる。
さらに、読取解像度を設定する読取設定信号等を受け付けたことを契機として、光源消灯準備動作を読取部３に実行させるようにしてもよい。
【００４７】
（２）上記実施形態では、ユーザによる操作パネル４から動作モード信号Ｓｍを受け付けたことを契機として、光源消灯準備動作が原稿読取部３によって実行される例を示したがこれに限られない。例えば、ＰＣ５０からの動作モード信号Ｓｍ等の制御入力信号、すなわち「読取を開始する制御入力信号以外の制御入力信号」を受け付けたことを契機として、光源消灯準備動作が実行されるようにしてもよい。
【００４８】
なお、上記した、ユーザによる操作パネル４から動作モード信号Ｓｍを受け付けたこと以外を契機として、光源消灯準備動作を読取部３に実行させる場合、図４のステップＳ１００において、動作モードが選択されたかどうかの判定に代えて、原稿検知信号Ｓｄ１、カバー開閉信号Ｓｄ２、読取設定信号、あるいはＰＣ５０からの動作モード信号Ｓｍ等を受けたかどうかの判定を行う。そして、例えば、ステップＳ１０５とステップＳ１１０の間に、動作モードが選択されたかどうかの判定を行うようにすればよい。
【００４９】
（３）上記実施形態では、準備動作として、アナログフロントエンド（ＡＦＥ）調整のための暗レベル取得動作、黒データ取得動作、光量調整動作および白データ取得動作を実行する例を示したが、これに限られない。その他の動作を実施するようにしてもよい。
【００５０】
（４）上記実施形態では、コピーモードおよびスキャンモードを「設定変更される可能性が高いモード」として、Ｆａｘ送信モードを「設定変更される可能性が高くないモード」としたがこれに限られない。また、動作モード、すなわち「読取部を利用する読取モード」としては、読取データの出力先がそれぞれ異なる動作モードに限られない。例えば、カラー読取モード／モノクロ読取モード、高画質読取モード／高生産読取モード等も含まれる。
【符号の説明】
【００５１】
１…複合機、３…原稿読取部、４…操作パネル、１２…原稿トレイ、１７…蛍光灯、１８…原稿センサ、３１…ＣＰＵ
【図１】
0005799796.tif 000002
【図２】
0005799796.tif 000003
【図３】
0005799796.tif 000004
【図４】
0005799796.tif 000005